(57)【要約】【課題】センサを使用しないロックとロック解除機能を備えた蓋体を有するコンロを提供する。【解決手段】コンロ１０は、上面にコンロバーナ１２Ａ、１２Ｂを備えたコンロ本体１４と、コンロ本体１４にヒンジ部材１６で回動可能に取付けられ、回動してコンロバーナ１２Ａ、１２Ｂの上部を覆い又は開放する蓋体１８と、コンロバーナ１２Ａ、１２Ｂに点火する点火部材と、点火部材の点火動作をロック又はロック解除するロック部材と、ヒンジ部材１６の回動動作で、ロック部材を、点火部材の点火動作のロック位置又はロック解除位置へ移動させる開閉連動部材と、を有している。【選択図】図１
2014224653.tif 000002
【特許請求の範囲】
【請求項１】
上面にコンロバーナを備えたコンロ本体と、
前記コンロ本体にヒンジ部材で回動可能に取付けられ、回動して前記コンロバーナの上部を覆い又は開放する蓋体と、
前記コンロバーナに点火する点火部材と、
前記点火部材の点火動作をロック又はロック解除するロック部材と、
前記ヒンジ部材の回動動作で、前記ロック部材を、前記点火部材の点火動作のロック位置又はロック解除位置へ移動させる開閉連動部材と、
を有するコンロ。
【請求項２】
上面に複数のコンロバーナを備えたコンロ本体と、
前記コンロ本体にヒンジ部材で回動可能に取付けられ、回動して前記コンロバーナの上部をそれぞれ覆い又は開放する複数の蓋体と、
前記コンロバーナのそれぞれに点火する複数の点火部材と、
前記点火部材の点火動作をそれぞれロックする複数のロック部材と、
前記ヒンジ部材の回転動作で、前記ロック部材を、前記点火部材の点火動作のロック位置又はロック解除位置へ移動させる複数の開閉連動部材と、
を備え、
１つの前記コンロバーナの上部が前記蓋体で覆われた状態では、前記蓋体が開放された前記コンロバーナの火力を最大火力より小さくする火力調整手段と、
を有するコンロ。
【請求項３】
前記開閉連動部材は、
ワイヤーと、
前記ヒンジ部材に連結され、前記蓋体の回動動作で前記ワイヤーを巻き取り又は巻き戻す回転体と、
前記ワイヤーの端部が連結され、前記ワイヤーの巻き取り又は巻き戻しによりスライドして、前記ロック部材を、前記点火部材の点火動作のロック位置又はロック解除位置へ移動させるスライダ部材と、
を有する請求項１又は２に記載のコンロ。
【請求項４】
前記スライダ部材には前記ロック部材が固定され、前記スライダ部材は、スプリングで前記ロック部材をロック解除位置へ向けて付勢されている請求項３に記載のコンロ。
【請求項５】
前記スライダ部材は、前記ロック部材を、前記点火部材の移動軌跡上に移動させ又は前記移動軌跡上から退避させる請求項３又は４に記載のコンロ。
【請求項６】
前記点火部材の移動軌跡上へは、前記コンロ本体に設けられたチャイルドロックスイッチのロック操作で、前記点火部材の点火動作をロックするチャイルドロック部材が移動する請求項５に記載のコンロ。
【請求項７】
前記コンロ本体には、グリルバーナの排気口が形成され、前記蓋体には前記排気口を開放する切欠き部が形成されている請求項１〜６のいずれか１項に記載のコンロ。
【請求項８】
前記コンロ本体には前記チャイルドロックスイッチが２個設けられ、一方の前記チャイルドロックスイッチは、前記コンロバーナの前記点火部材の点火動作をロック又はロック解除し、他方の前記チャイルドロックスイッチは、前記グリルバーナの点火部材の点火動作をロック又はロック解除する請求項７に記載のコンロ。
【請求項９】
前記ヒンジ部材は、前記蓋体を、前記コンロ本体の上面に対して任意の角度で保持するトルクヒンジである請求項１〜８のいずれか１項に記載のコンロ。
【請求項１０】
前記コンロ本体には、前記蓋体を前記鉛直方向へ向けたとき、前記蓋体の基部をラッチするラッチ装置が設けられている請求項１〜９のいずれか１項に記載のコンロ。
【請求項１１】
前記蓋体には、前記蓋体が前記コンロバーナの上部を覆うとき、前記コンロ本体の上面と当接し前記蓋体を支持する脚部が設けられている請求項１〜１０のいずれか１項に記載のコンロ。
【請求項１２】
前記蓋体は、熱伝導率の異なる板材を厚さ方向へ複数枚並べた構成とされ、前記蓋体を前記コンロバーナの上部を覆う位置に回動させたとき、前記蓋体の下面側に前記熱伝導率の小さい板材が配置され、上面側に前記熱伝導率の大きい板材が配置されている請求項１〜１１のいずれか１項に記載のコンロ。
【請求項１３】
前記蓋体の表面は、フッ素系のコーティング剤で処理されている請求項１〜１２のいずれか１項に記載のコンロ。
【請求項１４】
前記火力調整手段は、複数の前記ロック部材の位置を検出し、ロック解除位置にある前記ロック部材に対応する前記コンロバーナに供給するガス量を調節する請求項２〜１３に記載のコンロ。
【発明の詳細な説明】
【技術分野】
【０００１】
本発明は、コンロに関する。
【背景技術】
【０００２】
加熱調理機器として利用されるバーナ（コンロバーナ）の上部を、コンロを使用していないときには蓋をして、キッチン空間の見栄えを良くすると共に、調理場の一部として有効に活用したいとの要求がある。
そこで、コンロ台に蓋を設け、バーナを覆う位置とバーナを開放する位置の間を回動可能とした技術が提案されている（特許文献１）。
【０００３】
特許文献１によれば、コンロ台に設けられたバーナの上面を覆う蓋を、ヒンジを用いてコンロ台に回動可能に取付けた構成である。ヒンジは、コンロ台の奥側に取付けられ、蓋を水平方向に向けたときバーナの上面を覆い、鉛直方向に向けたときバーナの上面を開放する。蓋の下面にはミラーが付設され、蓋を鉛直方向へ向けたときミラーにバーナの火炎が映り、使用者は、かがみ込まなくてもバーナの火炎を確認することができる。
また、蓋を水平方向へ向けた状態でバーナに点火されるのを防止するため、バーナの上部が蓋で覆われていることを検出するセンサを設け、センサが蓋を検出したとき、点火スイッチの点火動作をロックするインターロックが記載されている。
【先行技術文献】
【特許文献】
【０００４】
【特許文献１】特開２００２−３９５４４号公報
【発明の概要】
【発明が解決しようとする課題】
【０００５】
しかし、特許文献１は、バーナの上部が蓋で覆われているか否かの検出にセンサを必要とする。
本発明は、上記事実に鑑み、センサを使用しないロックとロック解除機能を備えた蓋体を有するコンロを提供することを目的とする。
【課題を解決するための手段】
【０００６】
請求項１に記載の発明に係るコンロは、上面にコンロバーナを備えたコンロ本体と、前記コンロ本体にヒンジ部材で回動可能に取付けられ、回動して前記コンロバーナの上部を覆い又は開放する蓋体と、前記コンロバーナに点火する点火部材と、点火部材の点火動作をロック又はロック解除するロック部材と、前記ヒンジ部材の回動動作で、前記ロック部材を、前記点火部材の点火動作のロック位置又は点火動作のロック解除位置へ移動させる開閉連動部材と、を有することを特徴としている。
【０００７】
請求項１に記載の発明によれば、ヒンジ部材でコンロ本体と回動可能に取付けられた蓋体が、回動してコンロバーナの上部を覆い又は開放する。これにより、コンロを使用しないとき、蓋体でコンロバーナの上部を覆うことができる。また、蓋体でコンロバーナの上部が覆われたときには、ヒンジ部材の回動動作で、開閉連動部材が、ロック部材を点火部材の点火動作のロック位置へ移動させる。一方、蓋体がコンロバーナの上部を開放したときには、開閉連動部材が、ロック部材を、点火部材の点火動作のロック解除位置へ移動させる。
これにより、センサを使用せずに、ヒンジ部材の回動動作を利用して点火動作をロック又はロック解除することができる。
【０００８】
請求項２に記載の発明に係るコンロは、上面に複数のコンロバーナを備えたコンロ本体と、前記コンロ本体にヒンジ部材で回動可能に取付けられ、回動して前記コンロバーナの上部をそれぞれ覆い又は開放する複数の蓋体と、前記コンロバーナのそれぞれに点火する複数の点火部材と、前記点火部材の点火動作をそれぞれロックする複数のロック部材と、前記ヒンジ部材の回転動作で、前記ロック部材を、前記点火部材の点火動作のロック位置又はロック解除位置へ移動させる複数の開閉連動部材と、を備え、１つの前記コンロバーナの上部が前記蓋体で覆われた状態では、前記蓋体が開放された前記コンロバーナの火力を最大火力より小さくする火力調整手段と、を有することを特徴としている。
【０００９】
請求項２に記載の発明によれば、コンロ本体には複数のコンロバーナと、複数の蓋体が備えられ、使用しないコンロバーナの上部を、対応する蓋体で覆うことができる。このとき、いずれかのコンロバーナの上部が蓋体で覆われた状態では、上部が蓋体から開放されたコンロバーナは、コンロバーナの火力が最大火力より小さくされる。
これにより、隣接した蓋体や蓋体上に置かれた物品等の過熱を防止することができる。
【００１０】
請求項３に記載の発明は、請求項１又は２に記載のコンロにおいて、前記開閉連動部材は、ワイヤーと、前記ヒンジ部材に連結され、前記蓋体の回動動作で前記ワイヤーを巻き取り又は巻き戻す回転体と、前記ワイヤーの端部が連結され、前記ワイヤーの巻き取り又は巻き戻しによりスライドして、前記ロック部材を、前記点火部材の点火動作のロック位置又はロック解除位置へ移動させるスライダ部材と、を有することを特徴としている。
【００１１】
即ち、ヒンジ部材に連結された回転体が、蓋体の回動動作でワイヤーを巻き取り又は巻き戻し、ワイヤーに連結されたスライダ部材が、ロック部材を、点火部材の点火動作をロック又はロック解除する位置へ移動させる。即ち、開閉連動部材により、ヒンジ部の回動動作で、点火部材の点火動作をロック又はロック解除することができる。
【００１２】
請求項４に記載の発明は、請求項３に記載のコンロにおいて、前記スライダ部材には前記ロック部材が固定され、前記スライダ部材は、スプリングで前記ロック部材をロック解除位置へ向けて付勢されていることを特徴としている。
【００１３】
これにより、ヒンジ部の回動動作でワイヤーが巻き戻されたとき、スプリングで付勢されたワイヤーが、ロック部材をロック解除位置へ移動させる。
即ち、コンロバーナが開放されたとき、点火部材の点火動作が許容される。
【００１４】
請求項５に記載の発明は、請求項３又は４に記載のコンロにおいて、前記スライダ部材は、前記ロック部材を、前記点火部材の移動軌跡上に移動させ又は前記移動軌跡上から退避させることを特徴としている。
【００１５】
即ち、点火部材の移動軌跡上に、スライダ部材がロック部材を移動させることで点火動作がロックされる。これにより、係止や係合等の特別な機構を必要とせずに、簡単な機構で点火動作をロックできる。
【００１６】
請求項６に記載の発明は、請求項５に記載のコンロにおいて、前記点火部材の移動軌跡上へは、前記コンロ本体に設けられたチャイルドロックスイッチのロック操作で、前記点火部材の点火動作をロックするチャイルドロック部材が移動することを特徴としている。
【００１７】
即ち、チャイルドロックスイッチをロック側にセットしたとき、チャイルドロック部材が、点火部材の移動軌跡上に移動して点火部材の点火動作をロックする。
このように、ロック部材とチャイルドロック部材を、いずれも点火部材の移動軌跡上に移動可能に構成することで、チャイルドロックスイッチが解除されても、蓋体がコンロバーナの上部を覆う場合には、点火動作をロックすることができる。
【００１８】
請求項７に記載の発明は、請求項１〜６のいずれか１項に記載のコンロにおいて、前記コンロ本体には、グリルバーナの排気口が形成され、前記蓋体には前記排気口を開放する切欠き部が形成されていることを特徴としている。
これにより、蓋体の切欠き部がグリルバーナの排気口を開放するので、蓋体の位置に関係なくグリルバーナを独立して使用することができる。
【００１９】
請求項８に記載の発明は、請求項６に記載のコンロにおいて、前記コンロ本体には前記チャイルドロックスイッチが２個設けられ、一方の前記チャイルドロックスイッチは、前記コンロバーナの前記点火部材の点火動作をロック又はロック解除し、他方の前記チャイルドロックスイッチは、前記グリルバーナの点火部材の点火動作をロック又はロック解除することを特徴としている。
これにより、チャイルドロックスイッチで、コンロバーナとグリルバーナの使い分けができる。
【００２０】
請求項９に記載の発明は、請求項１〜８のいずれか１項に記載のコンロにおいて、前記ヒンジ部材は、前記蓋体を任意の角度で保持するトルクヒンジであることを特徴としている。  
これにより、ヒンジ部が回動途中の任意の位置で保持され、回動途中において、誤って蓋体が倒れるトラブルを避けることができる。
【００２１】
請求項１０に記載の発明は、請求項１〜９のいずれか１項に記載のコンロにおいて、前記コンロ本体には、前記蓋体を鉛直方向へ向けたとき、前記蓋体の基部をラッチするラッチ装置が設けられていることを特徴としている。
これにより、鉛直方向へ向けた蓋体をコンロ本体に確実に係合させ、蓋体が、コンロバーナ側へ倒れるのを防止することができる。
【００２２】
請求項１１に記載の発明は、請求項１〜１０のいずれか１項に記載のコンロにおいて、前記蓋体には、前記蓋体が前記コンロバーナの上部を覆うとき、前記コンロ本体の上面と当接し前記蓋体を支持する脚部が設けられていることを特徴としている。
これにより、水平方向へ向けた蓋体を、コンロ本体の上面に安定して支持させることができる。なお、コンロバーナの消火直後に蓋体が閉じられた場合、加熱された「ごとく」から蓋体へ熱が極力伝わらないよう、蓋体と「ごとく」が接しない構造とするのが望ましい。
【００２３】
請求項１２に記載の発明は、請求項１〜１１のいずれか１項に記載のコンロにおいて、前記蓋体は、熱伝導率の異なる板材を厚さ方向へ複数枚並べた構成とされ、前記蓋体を前記コンロバーナの上部を覆う位置に回動させたとき、前記蓋体の下面側に前記熱伝導率の小さい板材が配置され、上面側に前記熱伝導率の大きい板材が配置されていることを特徴としている。
これにより、コンロバ−ナを消火した直後に蓋体でコンロバーナを覆っても、蓋体の下面側（「ごとく」側）の蓋体の熱伝導率が小さいため、加熱されたごとくから蓋体に、熱が伝わりにくい。また、蓋体の上面側は、熱伝導率が大きくされているため、蓋体の上面からの放熱が促進される。この結果、使い勝手のよい蓋体を提供できる。
【００２４】
請求項１３に記載の発明は、請求項１〜１２のいずれか１項に記載のコンロにおいて、前記蓋体の表面は、フッ素系のコーティング剤で処理されていることを特徴としている。
これにより、蓋体の清掃性を向上させ、蓋体を清潔に維持することができる。
【００２５】
請求項１４に記載の発明は、請求項２〜１３に記載のコンロにおいて、前記火力調整手段は、複数の前記ロック部材の位置を検出し、ロック解除位置にある前記ロック部材に対応する前記コンロバーナに供給するガス量を調節することを特徴としている。
これにより、コンロバーナの上部が蓋で覆われているか否かがロック部材の位置で判断できるので、コンロバーナの火力調整が容易となる。
【発明の効果】
【００２６】
本発明は、上記構成としてあるので、センサを使用しないロック機能を備えた蓋体を有するコンロを提供することができる。
【図面の簡単な説明】
【００２７】
【図１】（Ａ）は本発明の第１実施形態に係るコンロの蓋を開けた状態の基本構成を示す斜視図であり、（Ｂ）は蓋を閉じた状態の基本構成を示す斜視図である。
【図２】本発明の第１実施形態に係るコンロを正面から見た側面図である。
【図３】本発明の第１実施形態に係るコンロの制御機構（蓋を開けた状態）を示す平面図である。
【図４】（Ａ）は本発明の第１実施形態に係るコンロの制御機構（蓋を開けた状態）の巻取り部を示す側面図であり、（Ｂ）はロック機構を示す斜視図である。
【図５】（Ａ）〜（Ｃ）は、いずれも本発明の第１実施形態に係るコンロの制御機構（蓋を開けた状態）の巻取り部を示す斜視図である。
【図６】（Ａ）〜（Ｃ）は、いずれも本発明の第１実施形態に係るコンロの制御機構のロック機構を示す斜視図であり、（Ａ）はロック状態を、（Ｂ）はチャイルドロック状態を、（Ｃ）はロック解除状態を示す。
【図７】本発明の第１実施形態に係るコンロの制御機構（蓋を閉じた状態）を示す平面図である。
【図８】（Ａ）は本発明の第１実施形態に係るコンロの制御機構（蓋を閉じた状態）の巻取り部を示す側面図であり、（Ｂ）はロック機構を示す斜視図である。
【図９】本発明の第１実施形態に係るコンロの制御機構（蓋を閉じた状態）の巻取り部を示す斜視図である。
【図１０】本発明の第１実施形態に係るコンロの制御機構（蓋を途中まで閉じた状態）を示す平面図である。
【図１１】（Ａ）は本発明の第１実施形態に係るコンロの制御機構（蓋を途中まで閉じた状態）の巻取り部を示す側面図であり、（Ｂ）はロック機構を示す斜視図である。
【図１２】本発明の第１実施形態に係るコンロのガス量調整装置の基本構成を示す模式図である。
【図１３】本発明の第１実施形態に係るコンロの点火手順を示すフロー図である。
【図１４】（Ａ）は本発明の第２実施形態に係るコンロの蓋を開けた状態の基本構成を示す斜視図であり、（Ｂ）は蓋を閉じた状態の基本構成を示す斜視図である。
【図１５】本発明の第２実施形態に係るコンロの点火手順を示すフロー図である。
【発明を実施するための形態】
【００２８】
（第１実施形態）
図１〜図１２を用いて、本発明の第１実施形態に係るコンロ１０について説明する。
図１（Ａ）、図１（Ｂ）の斜視図、図２の正面図に示すように、コンロ１０は、上面に２個のコンロバーナ（以下単にバーナと記す）１２Ａ、１２Ｂを備えたコンロ本体１４を有し、コンロ本体１４の使用者と対向する側面に操作部３８が設けられている。操作部３８には、操作ボタン２０Ａ、２０Ｂ、２０Ｃ等が配置されている。また、コンロ本体１４の操作部３８に対向する奥側には、蓋１８がヒンジ１６で回動可能に取付けられている。
蓋１８は、使用者が指でつまみ、上下方向へ動かすことでヒンジ１６を中心に回動可能とされており、水平方向へ向けたときバーナ１２Ａ及びバーナ１２Ｂの上部を覆い（蓋１８を閉じた状態、図１（Ｂ）参照）、鉛直方向へ向けたとき、バーナ１２Ａ、１２Ｂの上部から離れ、バーナ１２Ａ、１２Ｂの上部を開放する（蓋１８を開けた状態、図１（Ａ）参照）。
【００２９】
蓋１８は、例えば鋼鈑で平板状に形成され、奥側の端部にはヒンジ１６の一方の接続部が取り付けられ、ヒンジ１６の他方の接続部はコンロ本体１４に取付けられている。蓋１８の、ヒンジ１６が取付けられた端部と対向する操作部３８側の端部には、コンロ本体１４の上面と当接し、蓋１８を支持する脚３６が固定されている。これにより、蓋１８がバーナ１２Ａ、１２Ｂの上部を覆ったとき、ヒンジ１６と脚３６で、安定して蓋１８を支持することができる。なお、バーナ１２Ａ、１２Ｂの消火直後に蓋１８が閉じられた場合、加熱され熱い状態の「ごとく」から蓋１８へ、熱が極力伝わらないよう、蓋１８と「ごとく」は接しない構造とするのが望ましい。
【００３０】
また、蓋１８は、熱伝導率の異なる板材を厚さ方向へ複数枚並べた構成とし、蓋１８をバーナ１２Ａ、１２Ｂの上部を覆う位置に回動させたとき、蓋１８の底面側に熱伝導率の小さい板材（例えばステンレスや鉄）を配置し、上面側に熱伝導率の大きい板材（例えばアルミニウム）を配置するのが望ましい。
これにより、バーナ１２Ａ、１２Ｂを消火した直後に、蓋１８でバーナ１２Ａ、１２Ｂを覆っても、蓋１８の底面側（ごとく側）の熱伝導率が小さいため、加熱されたままの状態のごとくから、蓋１８へ熱が伝わりにくい。また、蓋１８の上面側は、熱伝導率が大きくされているため、蓋体１８の上面からの放熱が促進される。この結果、使い勝手のよい蓋１８を提供できる。
更に、蓋１８は、表面をフッ素系のコーティング剤で処理するのが望ましい。これにより、蓋１８の清掃性を向上させ、蓋１８を清潔に維持することができる。
【００３１】
また、コンロ本体１４の内部であり幅方向の中央部には、グリル２２が設けられている。グリル２２には、図示しないグリルバーナが設けられ、コンロ本体１４の上面奥側には、グリルバーナの燃焼ガスを排気するグリル排気口２４が設けられている。グリル排気口２４の上方を塞がないように、蓋１８のグリル排気口２４上方を覆う部分には、奥側端部をＵ字状に切り欠いた切欠き部２６が形成されている。
【００３２】
操作部３８には、バーナ１２Ａに点火する点火ボタン２０Ａ、バーナ１２Ｂに点火する点火ボタン２０Ｂ、及びグリルバーナに点火する点火ボタン２０Ｃが横方向に並べられている。また、点火ボタン２０Ａ、２０Ｂの下には、誤操作を防止するチャイルドロックスイッチ４４Ａ、４４Ｂが設けられ、チャイルドロックスイッチ４４Ａ、４４Ｂの横には、チャイルドロックスイッチ４４Ａ、４４Ｂのロック先を知らせる表示部４６Ａ、４６Ｂが設けられている。
【００３３】
蓋１８は、バーナ１２Ａ、１２Ｂのいずれも使用していない時に、バーナ１２Ａ、１２Ｂの上部を覆う構成である。このため、以下に説明するように、バーナ１２Ａ、１２Ｂの上部を覆った状態で点火されることがないように、蓋１８の位置を検出し、点火ボタン２０Ａ、２０Ｂが操作されても、点火動作をロック又はロック解除する、メカ式の制御機構６４が設けられている。
【００３４】
先ず、図３〜図６を用いて、蓋１８を開けた状態（蓋１８を鉛直方向へ向け、バーナ１２Ａ、１２Ｂの上部を開放した状態）の制御機構６４について説明する。この状態では、バーナ１２Ａ、１２Ｂへ点火が可能である。
図３は制御機構６４の平面図を、図４（Ａ）はヒンジ１６に設けられたワイヤー巻付け部５４の側面図を、図４（Ｂ）はロック機構４０の斜視図を、図５はワイヤー巻付け部５４の斜視図を、図６はロック機構４０の斜視図を示している。
図３に示すように、制御機構６４は、ヒンジ１６Ａ、１６Ｂに設けられたワイヤー巻付け部とロック機構４０Ａ、４０Ｂの間を、ワイヤー（ワイヤーチューブ）３４Ａ、３４Ｂで連結した構成である。これにより、ヒンジ１６Ａ、１６Ｂで検出された蓋１８の回動を、ワイヤー３４Ａ、３４Ｂを介して、ロック機構４０Ａ、４０Ｂへ伝えることができる。
なお、制御機構６４は２系統（ヒンジ１６Ａ、ワイヤー３４Ａ、及びロック機構４０Ａの系統と、ヒンジ１６Ｂ、ワイヤー３４Ｂ、及びロック機構４０Ｂの系統）が設けられている。しかし、２つの系統は、いずれも構成は全く同じである。点火ボタン２０Ａ、２０Ｂも含め、両者の添え字を省略して、以下説明する。
【００３５】
ここで、図４（Ａ）、図５を用いてヒンジ１６について説明する。
ヒンジ１６は、図５（Ｂ）のヒンジ組立図、図５（Ｃ）のヒンジ分解斜視図に示ように、円筒状の外筒２８の内部に、２本の同じく円柱状の内筒３０Ａ、３０Ｂが挿入された２重筒構成とされ、２本の内筒３０Ａと内筒３０Ｂの間には、円柱状のダンパー３２が挟み込まれている。ダンパー３２の外周面は外筒２８の内周面と係合され、ダンパー３２の外周面と外筒２８が一体となって回動する。また、外筒２８は蓋１８に取付けられ、外筒２８と蓋１８は一体となって回動する。一方、内筒３０Ａ、３０Ｂは、回動しないコンロ本体に取付けられる。
この構成とすることにより、ダンパー３２の働きにより、いわゆるトルクヒンジとして機能し、蓋１８の回動動作を緩やかにできる。更に、回動途中の任意の位置で手を離しても、蓋１８は、手を離された位置から落下せず、手を離した位置で維持される。
【００３６】
また、外筒２８の一方の側面には、ワイヤー３４の一方の端部が固定されるワイヤー固定部５２と、ワイヤー３４を巻き付けるワイヤー巻付け部５４が形成されている。これにより、蓋１８の回動と連動してワイヤー固定部５２が外筒２８と共に回転し、ワイヤー３４がワイヤー巻付け部５４に巻き付けられる。即ち、回転しながら巻付け又は巻戻されるワイヤー３４の他端に、ロック機構４０のロック手段を連結することで、蓋１８の回動と点火ボタン２０のロック機能を確実に連動させることができる。
具体的には、蓋１８の回動範囲により、ヒンジの回動範囲は、図４（Ａ）の一点鎖線で示す位置Ｒ１と、位置Ｒ２の範囲となる。ここに、位置Ｒ１は、蓋１８を開けた状態であり、ワイヤー３４の巻き付け量は最も少ない。位置Ｒ２は、蓋１８を閉じた状態であり、ワイヤー３４の巻き付け量が最も多い。
即ち、図４（Ａ）に示す、蓋１８を鉛直方向へ向け、バーナ１２Ａ、１２Ｂの上部を開放した状態では、ワイヤー３４は、最も緩められた（巻き戻された）状態（位置Ｒ１）となる。
【００３７】
また、図４（Ａ）に示すように、コンロ本体１４の背面には、係合用の爪７０を備えたラッチ６８が設けられている。また、蓋１８の対向する端面には爪７０と係合される受け部７２が設けられている。これにより、蓋１８を鉛直方向へ向けたとき、爪７０と受け部７２が係合される。これにより、鉛直方向へ所定角度まで向けられた蓋１８は、コンロ本体１４に確実に係合される。この結果、蓋１８が、バーナ１２Ａ、１２Ｂの方向へ倒れるのを防止することができる。
なお、ラッチ６８にはロック機能が設けられており、蓋１８を開けた状態で点火ボタン２０が押されると、器具栓のスピンドルが押されると同時に、ラッチ６８のプッシュ機構をＯＮ、ＯＦＦさせるワイヤーが巻き取られ、ラッチ６８がロックされる。これにより、コンロ燃焼時には、蓋１８の開閉が制限される。
【００３８】
次に、図４（Ｂ）、図６を用いて、ロック機構４０について説明する。
図４（Ｂ）、図６（Ｂ）、図６（Ｃ）は蓋１８を開いた状態を示し、図６（Ａ）は蓋１８を閉じた状態を示している。また、図６（Ａ）、図６（Ｂ）はチャイルドロックをセットした状態を示し、図４（Ｂ）、図６（Ｃ）は、チャイルドロックを解除した状態を示している。
コンロ本体１４の操作部３８に設けられ点火ボタン２０は、先端の押下げ部を押し下げることで点火動作を開始する。点火ボタン２０のコンロ本体１４の内部側には、点火突起部４２と、及び点火突起部４２の上方に形成された回転軸６６を備えている。回転軸６６は、コンロ本体１４に支持されており、点火ボタン２０が矢印Ｐ１の方向へ押し下げられると、点火ボタン２０は回転軸６６を中心に回転し、点火突起部４２が矢印Ｐ２の方向へ移動し、点火動作が開始される。
【００３９】
点火突起部４２の先端には、ロック突起４８が、点火突起部４２の先端の移動を遮る位置に配置されている。ロック突起４８は、鋼製の平板で、点火突起部４２とほぼ同じ幅に形成され、上面は、点火突起部４２とほぼ同じ高さに配置されている。ロック突起４８は、後述するように、ワイヤー３４で矢印Ｐ１、Ｐ２の方向へ移動される。即ち、点火突起部４２の矢印Ｐ２方向への移動（移動軌跡上の移動）が、移動軌跡上に置かれたロック突起４８で制限され、点火突起部４２の点火動作がロックされる。
この結果、係止や係合等の特別な機構を必要とせずに、簡単な機構で点火突起部４２の点火動作をロックできる。
【００４０】
ここに、ロック突起４８は、網掛けを施したスライドロック金具５６に固定され、一体となって移動する。スライドロック金具５６の端面には、ワイヤー３４の他端が連結され、ロック突起４８を、ワイヤーの巻き取り又は巻き戻しにより、点火突起部４２の点火動作をロック又はロック解除する位置へスライドさせる。
具体的には、図６（Ａ）〜図６（Ｃ）に示すように、スライドロック金具５６の端部には、突出してワイヤー３４の他端が係止される係止金具５８が固定されている。ワイヤー３４は、蓋１８の開閉によりワイヤー巻き付け部５４に巻き付けられ、ワイヤーチューブの内部で移動する。ロック機構４０はワイヤー３４の移動（矢印Ｑ１、Ｑ２の方向）を、方向を変えてロック突起４８へ伝える。即ち、コンロ本体１４に固定されたコーナー金具６０で、スライドロック金具５６のスライド方向（矢印のＳ１、Ｓ２方向）へ曲げられ、係止金具５８と係止される。ワイヤー３４の端部であり、コーナー金具６０と係止金具５８との間には、ワイヤー３４を囲み、ワイヤー３４に他端側への張力を付与するスプリング６２が設けられている。
【００４１】
この構成とすることにより、蓋体１８が閉じられ、ヒンジ１６の回動動作でワイヤー３４の一端がワイヤー巻付け部５４に巻付けられたとき、ワイヤー３４の他端と係止金具５８で接合されたスライドロック金具５６が移動して、ロック突起４８を、点火突起部４２の点火動作をロックする位置に移動させる。
一方、蓋１８が開けられ、ワイヤー３４の一端が巻き戻されたとき、コーナー金具６０と係止金具５８との間に設けられたスプリング６２の張力により、ワイヤー３４と共にロック突起４８部材が、ワイヤー３４の他端側へ移動され、点火突起部４２の点火動作のロックを解除する。
これにより、点火ボタン２０を押下げて点火位置にしたとき、点火突起部４２が矢印Ｐの方向へ移動して、図示しない器具栓のスピンドルが押され、バーナ１２Ａ、又はバーナ１２Ｂに着火される。
【００４２】
以上説明したように、蓋１８を鉛直方向へ向け、バーナ１２Ａ、１２Ｂの上部を開放した状態では、ロック突起４８は、点火突起部４２の矢印Ｐ２方向への移動を阻止しない。このとき、チャイルドロックスイッチ４４がセットされていれば、チャイルドロック突起５０が、点火突起部４２の移動軌跡上に移動され、点火突起部４２をロックする（図６（Ｂ）参照）。一方、チャイルドロックスイッチ４４がセットされていなければ、点火突起部４２はロック解除され、点火動作が開始される（図６（Ｃ）参照）。
即ち、ロック突起４８とチャイルドロック突起５０を、それぞれ独立して設け、いずれも点火突起部４２の点火動作時の移動軌跡上に移動可能に構成することで、チャイルドロックスイッチ４４が解除されても、蓋体１８が、バーナ１２Ａ、１２Ｂを覆う場合には、点火突起部４２の点火動作をロックすることができる。また、ロック機構４０の構造が簡単となる。
【００４３】
次に、図７〜図９を用いて、蓋１８を閉じた状態（蓋１８を水平方向へ向けてバーナ１２Ａ、１２Ｂの上部を覆う状態）の制御機構６４について説明する。この状態では、バーナ１２Ａ、１２Ｂへ点火できない。
図７は制御機構６４の平面図を、図８（Ａ）はヒンジ１６に設けられたワイヤー巻付け部５４の側面図を、図８（Ｂ）はロック機構４０の斜視図を、図９はワイヤー巻付け部５４の斜視図を示している。
蓋１８が閉じた状態では、ワイヤー３４は、ヒンジ部１６のワイヤー巻付け部５４に最も多く巻き付けられる。具体的には、ヒンジの回動でワイヤー固定部５２は、図８（Ａ）の位置Ｒ１から位置Ｒ２まで回転する。ここに、位置Ｒ１は最も巻き付け量が少ない状態であり、位置Ｒ２は最も巻き付け量が多い状態である。
【００４４】
これにより、ロック機構４０は、図８（Ｂ）、図６（Ａ）に示すように、蓋１８が閉じてワイヤー３４が巻き上げられているため、ロック突起４８は、点火突起部４２の前に移動される。この結果、ロック突起４８が点火突起部４２の矢印Ｐ２方向への移動を阻止する。
この状態では、チャイルドロックに関係なく、ロック突起４８が、常に点火突起部４２をロックするため、蓋１８を開けない限り、点火突起部４２は点火動作を開始することができない（図６（Ａ）参照）。
【００４５】
次に、図１０、図１１を用いて、蓋１８を斜めに傾斜させた状態（蓋１８を傾斜させバーナ１２Ａ、１２Ｂの上部の一部を覆う状態）の制御機構６４について説明する。この状態でも、バーナ１２Ａ、１２Ｂへ点火できない。
図１０は制御機構６４の平面図を、図１１（Ａ）はヒンジ１６に設けられたワイヤー巻付け部５４の側面図を、図１１（Ｂ）はロック機構４０の斜視図を示している。
図１１（Ａ）に示すように、蓋１８は、閉じた状態と開いた状態の中間位置にあり、ワイヤー固定部５２は、開いた状態の位置Ｒ１と、閉じた状態の位置Ｒ２の中間位置にある。この状態では、蓋１８は、バーナ１２Ａ、１２Ｂの上部の一部を覆ため、バーナ燃焼は好ましくない。このため、ロック突起４８は、点火突起部４２の矢印Ｐ２方向への移動を阻止する。この結果、チャイルドロックに関係なく、ロック突起４８が点火突起部４２をロックする（図６（Ａ）参照）。
【００４６】
本構成によれば、コンロバーナ１２Ａ、１２Ｂの上部を覆う蓋１８が、ヒンジ１６でコンロ本体１４と回動可能に接合されている。これにより、蓋１８を回動させることでバーナ１２Ａ、１２Ｂの上部を覆い又は開放することができる。これにより、バーナ１２Ａ、１２Ｂを使用しないとき、蓋体１８でバーナ１２Ａ、１２Ｂの上部を覆うことが可能となる。また、蓋体１８でバーナ１２Ａ、１２Ｂの上部が覆われたときには、制御機構６４がヒンジ１６の回動動作で、ロック突起４８を、点火突起部４２の点火動作のロック位置へ移動させる。一方、蓋体１８がバーナ１２Ａ、１２Ｂの上部を開放したときには、点火突起部４２のロック解除位置へ移動させる。
これにより、センサを使用しないで、メカ的機構である制御機構６４で点火ボタンの点火動作を、ロック又はロック解除することができる。
【００４７】
次にガス量調整装置９０について説明する。
図１２に示すように、ガス量調整装置９０は、バーナ１２Ａ又はバーナ１２Ｂの上流側（矢印Ｇで示すガスの流れ方向の上流側）に設けられている。ガス量調整装置９０は、上流側に設けられた器具栓１０４と、下流側に設けられた電磁弁１０６を備えている。
ここに、器具栓１０４のガス流路は、直列に配置されたマグネットユニットバルブ８６とメインバルブ８８を通過した後、第１ラッチ弁（ＭＶ１）９２とそれに続く中火オリフィス９６を通過する流路、第２ラッチ弁（ＭＶ２）９４を通過する流路、及び小火オリフィス９８を通過する流路の３つに分岐される。その後、再び、ニードル弁１００を通過する流路に一本化される構成です。また、電磁弁１０６は、第３ラッチ弁（ＭＶ３）１０２と穴なしのオリフィス１１０が、並列に配置された構成です。電磁弁１０６を通過後、バーナ１２Ａ又はバーナ１２Ｂへ供給される。
【００４８】
これにより、鍋がバーナ１２Ａ又はバーナ１２Ｂの上に置かれていることを前提に、通常使用時には、ＭＶ１、ＭＶ２、ＭＶ３の全てを「開」とすることで通常のガス量を通過させ、中火使用時には、ＭＶ１とＭＶ３を「開」、ＭＶ２を「閉」とすることで中火のガス量を通過させ、小火使用時には、ＭＶ１とＭＶ２を「閉」、ＭＶ３を「開」とすることで小火のガス量を通過させることができる。
一方、バーナ１２Ａ又はバーナ１２Ｂの上に鍋が置かれていない場合には、点火操作をされても、ＭＶ３を「閉」とすることで、点火が禁止される。また、燃焼時に鍋が取り外されても、ＭＶ１とＭＶ２を「閉」、ＭＶ３を「開」とすることで小火のガス量で燃焼させることができる。
【００４９】
次に、コンロ１０の点火手順について説明する。
図１３のフローチャートに示すように、先ず、蓋１８を閉じた状態から回動させ、コンロバーナ１２Ａ、１２Ｂの上方を開放させる（Ｓ１０）。このとき、ワイヤー３４の端部が引っ張られ巻き戻される（Ｓ１２）。次に、蓋１８が全開か否かを、ワイヤー３４の巻き戻し位置で判断する（Ｓ１４）。具体的には点火ボタン２０をロックするロック突起４８の位置をセンサ等で検出して判断する。蓋１８が全開ではない場合には、ステップ１６へ進む。ステップ１６では、ロック機構を解除しない。この状態では点火操作はできない（Ｓ１６）。一方、蓋１８が全開の場合には（Ｓ１４）、ロック機構が解除される（Ｓ１８）。
【００５０】
続いて、チャイルドロックスイッチ４４のセット状態を判断する（Ｓ２０）。チャイルドロックスイッチ４４がセットされている場合には、チャイルドロックを解除して（Ｓ２４）、コンロの点火ボタン２０を押す（Ｓ２２）。チャイルドロックスイッチ４４がセットされていない場合には、そのまま、コンロの点火ボタン２０を押す（Ｓ２２）。
これにより、コンロ本体１４のラッチ装置が動作し、蓋１８がラッチ装置で固定される（Ｓ２６）。続いて、マグネット弁が強制吸着され（Ｓ２８）マグネットユニットバルブ８６、メインバルブ８８及びＭＶ３が「開」となり、燃焼ガスが流れ始め(Ｓ３０)、続いてイグナイタがＯＮとなる（Ｓ３２）。これにより、コンロが点火される（Ｓ３４）。通常使用時には、ＭＶ１、ＭＶ２、ＭＶ３の全てが「開」となり、通常のガス量が供給される。
【００５１】
上述したように、本実施形態では、蓋体１８の位置に関係なくグリル２２を使用できるので、グリル機能が損なわれることがない。なお、グリル２２を有しないコンロに適用してもよい。
また、本実施形態では、バーナは２個の場合について説明した。しかし、これに限定されることはなく、バーナの数が１個でも、３個以上でもよい。
また、図２に示すように、コンロ本体１４に設けられた２個のチャイルドロックスイッチ４４Ａ、４４Ｂにおいて、一方のチャイルドロックスイッチ４４Ａを、バーナ１２の点火突起部４２の点火動作をロック又はロック解除させる構成とし、他方のチャイルドロックスイッチ４４Ｂは、グリルバーナの点火部材の点火動作をロック又はロック解除させる構成としてもよい。これにより、チャイルドロックスイッチ４４Ａ、４４Ｂで、コンロバーナ１２とグリルバーナの使い分けができる。
【００５２】
（第２実施形態）
図１３〜図１５を用いて、本発明の第２実施形態に係るコンロ８０について説明する。
図１３の斜視図に示すように、コンロ８０は、２枚の蓋８４Ａ、８４Ｂを備えている点において、第１実施形態で説明したコンロ１０と相違する。相違点を中心に説明する。
コンロ８０は、上面に、２個のバーナ１２Ａ、１２Ｂを備え、コンロ本体８２には、左右方向へ並べられたバーナ１２Ａ、１２Ｂに対応させて２枚の蓋８４Ａ、８４Ｂがヒンジ１６で、回動可能に取付けられている。これにより、蓋８４Ａ、８４Ｂが回動して、２つのコンロバーナ１２Ａ、１２Ｂの上部をそれぞれ覆い又は開放することができる。
【００５３】
また、２つのバーナ１２Ａ、１２Ｂに点火する点火ボタン２０Ａ、２０Ｂには、点火操作で点火動作を開始する点火突起部４２がそれぞれ設けられ、点火突起部４２をロックするロック突起４８がそれぞれ設けられている（図６参照）。
ここに、２つのロック突起４８は、２つの蓋８４Ａ、８４Ｂに対応して移動可能とされている。また、例えば、図１３（Ｂ）に示すように、バーナ１２Ａの上部が蓋８４Ａから開放され、バーナ１２Ｂの上部が蓋８４Ｂで覆われた状態で、バーナ１２Ａに点火した場合には、バーナ１２Ａの火力を最大火力より小さくする火力調整手段が設けられている。
同様に、図１３（Ａ）に示すように、バーナ１２Ｂの上部が蓋８４Ｂから開放され、バーナ１２Ａの上部が蓋８４Ａで覆われた状態で、バーナ１２Ｂに点火した場合には、バーナ１２Ｂの火力を最大火力より小さくする火力調整手段が設けられている。
【００５４】
火力調整手段について説明する。
２つの蓋８４Ａ、８４Ｂが同時に開放された状態では、第１実施形態で説明した点火手順で点火される。一方、例えば、バーナ１２Ｂの上部が蓋８４Ｂから開放され、バーナ１２Ａの上部が蓋８４Ａで覆われた状態で、バーナ１２Ｂに点火した場合には、以下の点火手順となる。
【００５５】
図１５のフローチャートに示すように、先ず、蓋８４Ｂを閉じた状態から回動させ、コンロバーナ１２Ｂの上方を開放させる（Ｓ１０）。このとき、ワイヤー３４の端部が引っ張られ巻き戻される（Ｓ１２）。次に、蓋８４Ｂが全開か否かを、ワイヤー３４の巻き戻し位置で判断する（Ｓ１４）。即ち、ステップＳ１４では、蓋８４Ａ、８４Ｂのいずれもが全開であるか否かを点火ボタン２０をロックするロック突起４８の位置をセンサ等で検出して判断する。蓋８４Ａ、８４Ｂのいずれもが全開の場合は、ステップＳ１８へ進む。一方、蓋８４Ａ、８４Ｂのいずれもが全開でない場合は、ステップＳ２６へ進む。
【００５６】
ステップＳ２６は、蓋８４Ａ、８４Ｂのいずれか一方が全開か否かを判断する。判断は、ステップＳ１４と同様に、点火ボタン２０をロックするロック突起４８の位置をセンサ等で検出して判断する。少なくとも、いずれか一方の蓋（この場合には蓋８４Ｂ）が全開の場合にはステップＳ２８へ進む。全開となっている蓋がない場合（蓋８４Ａ、８４Ｂのいずれも全開とはなっていない場合）には、ステップＳ１６へ進む。ステップＳ１６では、ロック機構を解除しない。この状態では点火操作はできない（Ｓ１６）。一方、ステップＳ２８では、蓋８４Ｂが全開であることを検知、確認した後ステップＳ３０へ進む。
ステップＳ３０では、第２ラッチ弁（ＭＶ２）９４を「閉」にして、ステップＳ１８へ進む。これにより、蓋８４Ｂでロックされたロック機構が解除される（Ｓ１８）。
【００５７】
続いて、チャイルドロックスイッチ４４のセット状態を判断する（Ｓ２０）。チャイルドロックスイッチ４４がセットされている場合には、チャイルドロックを解除して（Ｓ２４）、コンロの点火ボタン２０を押す（Ｓ２２）。チャイルドロックスイッチ４４がセットされていない場合には、そのまま、コンロ８０の点火ボタン２０を押す（Ｓ２２）。
これにより、コンロ本体１４のラッチ装置６８が動作し、蓋８４Ｂがラッチ装置６８で固定される（Ｓ２６）。続いて、マグネット弁が強制吸着され（Ｓ２８）マグネットユニットバルブ８６、メインバルブ８８及び第３ラッチ弁（ＭＶ３）１０２が「開」となり、燃焼ガスが流れ始め(Ｓ３０)、続いてイグナイタがＯＮとなる（Ｓ３２）。これにより、バーナ１２Ｂが点火される（Ｓ３４）。通常使用時には、ＭＶ２が「閉」、ＭＶ１とＭＶ３が「開」となり、中火のガス量が供給される。
即ち、バーナ１２Ａの上部が蓋８４Ａで覆われた状態で、バーナ１２Ｂに点火した場合には、ロック突起４８の位置がロック状態の場合にあることをセンサ等で検出し、第２ラッチ弁２（ＭＶ２）をＯＦＦにして、バーナ１２Ｂの火力を最大火力より小さい中火使用時のガス量とする。これにより、隣接した蓋８４Ａや、蓋８４Ａの上に置かれている物品等の過熱を防止することができる。
【００５８】
本実施形態によれば、電気的なセンサ出力を使用せずに、メカ的機構である制御機構６４で点火動作をロック又はロック解除することができる。また、バーナ１２Ａ、１２Ｂの火力を最大火力より小さい中火にするので、隣り合う蓋８４Ａ又は蓋８４Ｂのいずれか一方、及び蓋８４Ａ、８４Ｂの上に置かれた物品等の過熱を防止することができる。
なお、本実施形態では、２個の蓋８４Ａ、８４Ｂの場合について説明した。しかし、これに限定されることはなく、コンロ１２の数が３個以上の場合には、コンロ１２の数に対応させて増やしてもよい。
また、本実施形態では、火力調整手段の例として、点火ボタン２０をロックするロック突起４８の位置をセンサ等で検出し、電気信号に変換し基盤において判断する方法について説明した、しかし、これに限定されることはなく、例えば、手動火力レバーの動きを物理的に制限する方法でもよい。
他の構成は第１実施形態と同じであり、説明は省略する。
【符号の説明】
【００５９】
１０  コンロ、１２  バーナ（コンロバーナ）、１４  コンロ本体、１６  ヒンジ（ヒンジ部材）、１８  蓋（蓋体）、２０  点火ボタン、２２  グリル、２４  グリル排気口（排気口）、２６  切欠き部、２８  外筒（回転体）、３４  ワイヤー、３６  脚（脚部）、４０  ロック機構、４２  点火突起部（点火部材）、４４  チャイルドロックスイッチ、４８  ロック突起（ロック部材）、５０  チャイルドロック突起（チャイルドロック部材）、５２  ワイヤー固定部（回転体）、５４  ワイヤー巻付け部（回転体）、５６  スライドロック金具（スライダ部材）、６２  スプリング、６４  制御機構（開閉連動部材）、６８  ラッチ（ラッチ装置）、７０  爪（爪部）
【図１】
2014224653.tif 000003
【図２】
2014224653.tif 000004
【図３】
2014224653.tif 000005
【図４】
2014224653.tif 000006
【図５】
2014224653.tif 000007
【図６】
2014224653.tif 000008
【図７】
2014224653.tif 000009
【図８】
2014224653.tif 000010
【図９】
2014224653.tif 000011
【図１０】
2014224653.tif 000012
【図１１】
2014224653.tif 000013
【図１２】
2014224653.tif 000014
【図１３】
2014224653.tif 000015
【図１４】
2014224653.tif 000016
【図１５】
2014224653.tif 000017